(57)【要約】【課題】情報入力部と遊技信号との対応付けを複数の遊技機でまとめて行う場合に、誤った設定が行われることを極力防止することが出来る遊技情報管理システムを提供する。【解決手段】中継装置において入力端子と遊技信号との対応付設定を行う場合に、入力端子と遊技信号との対応付けが共通する台番範囲を予め現区分範囲としてグループ化し、この現区分範囲と入力台番範囲との比較結果に応じて入力台番範囲を現区分範囲へと制限するようにした。これにより、入力台番の操作を誤った場合や、全体の信号対応付設定は異なるものの一部の出力端子のみが共通するために、その共通する出力端子のみを設定更新するような誤った対応付設定操作が行われた場合であっても、誤った信号対応付設定操作が行われることを極力防止出来る。【選択図】図５
2015062561.tif 000002
【特許請求の範囲】
【請求項１】
遊技に関連した遊技情報を特定可能な遊技信号が入力される複数の入力部を有する情報入力部と、入力された遊技信号により特定される遊技情報を外部出力する情報出力部とを有した遊技機に対応して設けられる台端末装置における前記情報出力部から出力される遊技情報を入力する入力手段と、
前記入力手段により入力された遊技情報により遊技情報の管理、及び遊技に関連した処理の内、少なくとも一方を行う遊技情報処理手段と、
遊技機、或いは前記台端末装置である対象端末を指定する指定操作を受付けた上で、前記情報入力部に対応する遊技信号を設定するための対応付設定操作を受付けることにより、当該情報入力部単位で対応する遊技信号を特定可能な対応付設定情報を設定する信号対応付設定を行う信号対応付手段と、
前記信号対応付設定が共通する複数の前記対象端末を端末グループとして予めグループ化するグループ化処理を行うグループ化手段と、
前記信号対応付設定が行われる場合に、前記指定操作により特定される前記対象端末である指定端末と、前記端末グループとを比較する比較手段と、
前記比較手段による比較結果により前記信号対応付設定の対象となる対象端末を、前記端末グループに対応した対象端末へと制限、或いは拡張する端末変更処理を行う端末変更手段と、
を備えたことを特徴とする遊技情報管理システム。
【請求項２】
前記比較手段は、複数の前記対象端末を指定端末として特定した場合に、当該指定端末が複数の前記端末グループに属するか否かを判定することで前記指定端末と、前記端末グループとを比較し、
前記端末変更手段は、複数の前記端末グループに前記指定端末が属する旨の比較結果を得た場合に、そのいずれか一方の端末グループのみに属するように前記信号対応付設定の対象となる対象端末を制限することで前記端末変更処理を行うことを特徴とする請求項１記載の遊技情報管理システム。
【請求項３】
前記比較手段は、前記指定操作、或いは前記対応付設定操作の受付後に前記指定端末と前記端末グループとの比較を行い、
前記端末変更手段は、前記複数の端末グループに指定端末が属する旨の比較結果を得たことにより前記対象端末を制限した場合に、当該制限前における指定端末である前指定端末の内、当該制限された対象端末を除いた残りの前指定端末を前記指定端末として再特定する再特定処理を行い、
前記信号対応手段は、前記再特定処理により指定端末が再特定された場合に、前記前指定端末に対して前記対応付設定操作により更新対象となった前記情報入力部については、当該対応付設定操作により特定される遊技信号を対応する遊技信号として表示する一方、当該対応付設定操作により更新対象とならなかった前記情報入力部については、当該対応付設定操作の以前に、当該再特定された指定端末に対して設定された前記対応付設定情報によって特定される遊技信号を対応する遊技信号として表示する設定画面を表示した上で、当該再特定された指定端末についての前記対応付設定情報によって特定される遊技信号を対応する遊技信号として表示する設定画面を表示した上で、当該再特定された指定端末についての前記対応付設定操作を受付けることを特徴とする請求項２記載の遊技情報管理システム。
【請求項４】
前記比較手段は、前記指定端末を特定した場合に、当該指定端末が属する前記端末グループに属する全ての前記対象端末を前記指定端末として特定しているのか、一部の前記対象端末のみを前記指定端末として特定しているのかを判定することで、前記指定端末と前記端末グループとを比較し、
前記端末変更手段は、一部の前記対象端末のみを前記指定端末として特定している旨の比較結果を得た場合に、その端末グループの全ての対象端末が前記信号対応付設定の対象となるように前記信号対応付設定の対象となる対象端末を拡張することで前記端末変更処理を行うことを特徴とする請求項１から３の何れか一項に記載の遊技情報管理システム。
【請求項５】
前記グループ化手段は、前記端末グループ単位で先頭となる対象端末である先頭グループ端末と、後尾となる対象端末である後尾グループ端末とを特定可能に前記対象端末をグループ化し、
前記比較手段は、前記指定端末として複数の対象端末が特定された場合に、その先頭となる対象端末である先頭指定端末と、その後尾となる対象端末である後尾指定端末とを特定すると共に、その少なくとも一方が属する前記端末グループを特定し、当該特定した対象グループにおける先頭グループ端末と前記先頭指定端末とが一致するか否かを判定する第１判定処理、及び当該特定した対象グループにおける後尾グループ端末と前記後尾指定端末とが一致するか否かを判定する第２判定処理の内、少なくとも一方を行うことで前記指定端末と前記端末グループとを比較し、
前記端末変更手段は、前記先頭グループ端末と前記先頭指定端末とが一致しない場合に前記先頭指定端末を前記先頭グループ端末とすること、及び前記後尾グループ端末と前記後尾指定端末とが一致しない場合に前記後尾指定端末を前記後尾グループ端末とすることの少なくとも一方を行うことで、前記端末変更処理を行うことを特徴とする請求項１から４の何れか一項に記載の遊技情報管理システム。
【発明の詳細な説明】
【技術分野】
【０００１】
本発明は、情報入力部と遊技信号とを対応付け可能な台端末装置を備えた遊技情報管理システムに関する。
【背景技術】
【０００２】
遊技場では遊技機側から出力される遊技信号を入力することで遊技情報を管理しており、例えば特許文献１のように入力端子と遊技信号との対応付けを任意に変更し、遊技機から出力される多種多様な遊技信号に対応するようにしている。
【先行技術文献】
【特許文献】
【０００３】
【特許文献１】特開２００４−２６７３０７号公報
【発明の概要】
【発明が解決しようとする課題】
【０００４】
ここで、特許文献１において、対応付けを変更したい台番範囲を指定するとデフォルトの対応付けが表示され、その対応付けを任意の対応付けへと変更するような設定操作が例示されているように、従来では現状の対応付けに関わらず台番範囲を指定可能であり、その台番範囲に対して任意の対応付けへの変更を一挙に行うような設定操作が行われていた。
このようにして信号の対応付設定を行う場合、例えば１〜１０番台と、１１〜２０番台とで、異なる対応付けが設定されており、１〜２０番台にて共通して同一の入力端子の対応信号を変更したい場合、台番範囲を指定し、デフォルト設定が表示された状態で変更箇所のみを入力して設定更新すると、その変更箇所以外の箇所がデフォルト設定にて更新されてしまうことで、不適当な対応付けとなる虞がある。
この場合、設定者はその更新状況には気付いておらず、集計したデータが異常となっても、その理由が把握出来ず、その原因を突き止めるまで正しい情報集計が出来ない等の不都合があった。
【０００５】
本発明は上記事情に鑑みてなされたもので、その目的は、情報入力部と遊技信号との対応付けを複数の遊技機でまとめて行う場合に、誤った設定が行われることを極力防止することが出来る遊技情報管理システムを提供することにある。
【課題を解決するための手段】
【０００６】
本発明は、遊技に関連した遊技情報を特定可能な遊技信号が入力される複数の入力部を有する情報入力部と、入力された遊技信号により特定される遊技情報を外部出力する情報出力部とを有した遊技機に対応して設けられる台端末装置における前記情報出力部から出力される遊技情報を入力する入力手段と、前記入力手段により入力された遊技情報により遊技情報の管理、及び遊技に関連した処理の内、少なくとも一方を行う遊技情報処理手段と、遊技機、或いは前記台端末装置である対象端末を指定する指定操作を受付けた上で、前記情報入力部に対応する遊技信号を設定するための対応付設定操作を受付けることにより、当該情報入力部単位で対応する遊技信号を特定可能な対応付設定情報を設定する信号対応付設定を行う信号対応付手段と、前記信号対応付設定が共通する複数の前記対象端末を端末グループとして予めグループ化するグループ化処理を行うグループ化手段と、前記信号対応付設定が行われる場合に、前記指定操作により特定される前記対象端末である指定端末と、前記端末グループとを比較する比較手段と、前記比較手段による比較結果により前記信号対応付設定の対象となる対象端末を、前記端末グループに対応した対象端末へと制限、或いは拡張する端末変更処理を行う端末変更手段と、を備えたものである（請求項１）。
【０００７】
請求項１記載の遊技情報管理システムにおいて、
前記比較手段は、複数の前記対象端末を指定端末として特定した場合に、当該指定端末が複数の前記端末グループに属するか否かを判定することで前記指定端末と、前記端末グループとを比較し、前記端末変更手段は、複数の前記端末グループに前記指定端末が属する旨の比較結果を得た場合に、そのいずれか一方の端末グループのみに属するように前記信号対応付設定の対象となる対象端末を制限することで前記端末変更処理を行うようにしても良い（請求項２）。
【０００８】
請求項２記載の遊技情報管理システムにおいて、
前記比較手段は、前記指定操作、或いは前記対応付設定操作の受付後に前記指定端末と前記端末グループとの比較を行い、前記端末変更手段は、前記複数の端末グループに指定端末が属する旨の比較結果を得たことにより前記対象端末を制限した場合に、当該制限前における指定端末である前指定端末の内、当該制限された対象端末を除いた残りの前指定端末を前記指定端末として再特定する再特定処理を行い、前記信号対応手段は、前記再特定処理により指定端末が再特定された場合に、前記前指定端末に対して前記対応付設定操作により更新対象となった前記情報入力部については、当該対応付設定操作により特定される遊技信号を対応する遊技信号として表示する一方、当該対応付設定操作により更新対象とならなかった前記情報入力部については、当該対応付設定操作の以前に、当該再特定された指定端末に対して設定された前記対応付設定情報によって特定される遊技信号を対応する遊技信号として表示する設定画面を表示した上で、当該再特定された指定端末についての前記対応付設定情報によって特定される遊技信号を対応する遊技信号として表示する設定画面を表示した上で、当該再特定された指定端末についての前記対応付設定操作を受付けるようにしても良い（請求項３）。
【０００９】
請求項１から３の何れか一項に記載の遊技情報管理システムにおいて、
前記比較手段は、前記指定端末を特定した場合に、当該指定端末が属する前記端末グループに属する全ての前記対象端末を前記指定端末として特定しているのか、一部の前記対象端末のみを前記指定端末として特定しているのかを判定することで、前記指定端末と前記端末グループとを比較し、前記端末変更手段は、一部の前記対象端末のみを前記指定端末として特定している旨の比較結果を得た場合に、その端末グループの全ての対象端末が前記信号対応付設定の対象となるように前記信号対応付設定の対象となる対象端末を拡張することで前記端末変更処理を行うようにしても良い（請求項４）。
【００１０】
請求項１から４の何れか一項に記載の遊技情報管理システムにおいて、
前記グループ化手段は、前記端末グループ単位で先頭となる対象端末である先頭グループ端末と、後尾となる対象端末である後尾グループ端末とを特定可能に前記対象端末をグループ化し、前記比較手段は、前記指定端末として複数の対象端末が特定された場合に、その先頭となる対象端末である先頭指定端末と、その後尾となる対象端末である後尾指定端末とを特定すると共に、その少なくとも一方が属する前記端末グループを特定し、当該特定した対象グループにおける先頭グループ端末と前記先頭指定端末とが一致するか否かを判定する第１判定処理、及び当該特定した対象グループにおける後尾グループ端末と前記後尾指定端末とが一致するか否かを判定する第２判定処理の内、少なくとも一方を行うことで前記指定端末と前記端末グループとを比較し、前記端末変更手段は、前記先頭グループ端末と前記先頭指定端末とが一致しない場合に前記先頭指定端末を前記先頭グループ端末とすること、及び前記後尾グループ端末と前記後尾指定端末とが一致しない場合に前記後尾指定端末を前記後尾グループ端末とすることの少なくとも一方を行うことで、前記端末変更処理を行うようにしても良い（請求項５）。
【発明の効果】
【００１１】
請求項１の発明によれば、信号対応付設定の対象となる対象端末を、端末グループに対応した対象端末へと変更するため、指定端末の入力操作を誤った場合や、全体の信号対応付設定は異なるものの一部の情報出力部のみが共通するために、その共通する情報出力部のみを設定更新するような誤った対応付設定操作が行われた場合であっても、誤った信号対応付設定操作が行われることを極力防止出来る。
請求項２の発明によれば、指定端末が複数の端末グループに属する指定操作が行われたり、指定操作、或いは対応付設定操作が誤って操作されたりした場合であっても、誤った信号対応付操作が行われることを極力防止出来る。
【００１２】
請求項３の発明によれば、信号対応付設定の対象となる対象端末が制限された場合に、設定対象とならなかった対象端末が設定対象とならないことを防止出来ると共に、制限された対象端末と共通して、即ち対応付設定操作により更新されて更新対象となった情報入力部については対応付設定操作による更新内容を反映し、それ以外の情報入力部についてはそれまでの信号対応付設定の内容を反映した設定画面を表示することで対応付設定操作における操作入力を容易化した上で、設定者の意図する設定が可能となる。
請求項４の発明によれば、指定操作を誤入力した場合であっても、誤った信号対応付設定が行われることを極力防止出来る。
請求項５の発明によれば、第１判定処理、及び第２判定処理の内、少なくとも一方により指定端末と端末グループとを比較することで、当該比較を容易化出来る。
【図面の簡単な説明】
【００１３】
【図１】本発明の一実施形態における遊技場用システムの全体構成を示す概略図
【図２】中継装置に設けられる入力端子の模式図
【図３】台機種設定画面を示す図
【図４】端子設定画面を示す図
【図５】確認画面を示す図（その１）
【図６】確認画面を示す図（その２）
【図７】確認画面を示す図（その３）
【発明を実施するための形態】
【００１４】
以下、本発明の一実施形態について図面を参照して説明する。
図１は、遊技場用システムの全体構成を示す概略図である。遊技場内には多数の遊技機１が設置されており、各遊技機１に対応して貸出装置２が設置されている。これら遊技機１及び貸出装置２は、中継装置３（台端末装置に相当）及びＬＡＮ４を介して管理装置５と接続されている。管理装置５は、遊技機側（遊技機１、貸出装置２等）から送信される遊技信号を受信することにより遊技機１毎の遊技データを管理する。
【００１５】
管理装置５は、遊技場内の例えば事務室等に設置されており、遊技場の管理者が操作するキーボード６、モニタ７、図示しないプリンタ等が接続されている。管理装置５は、遊技場内に設置された遊技機１、貸出装置２等の稼動状況を管理すると共に、遊技機側からの信号に基づいて遊技者毎の遊技価値の大きさ（持玉数）を記憶管理する。尚、図１では図示を省略したが、実際には例えば数百台の遊技機１が管理装置５の管理対象となっている。
【００１６】
図１で示す遊技機１はＣＲ（カードリーダ）パチンコ機であり、盤面８に玉を発射する発射装置を構成する操作ハンドル９、上皿１０、下皿１１を有すると共に、盤面８に、液晶表示部１２、第１始動口１３、第２始動口１４、普図入賞口１５、大入賞口１６を有する。第１始動口１３は入賞率が変動しない入賞口（所謂ヘソ入賞口）で、第２始動口１４は入賞率が変動する入賞口（所謂電チュー）である。第１始動口１３又は第２始動口１４への入賞（始動入賞）に応じて大当り抽選を行い、抽選結果を液晶表示部１２において行う図柄変動にて報知し、その変動結果に応じて大当りとなる。図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１７】
大当り抽選の当選確率（大当り確率）は１／３６０で、大当りがその後確変状態（確変）となる大当り（確変大当り）となる割合である確変率は（通常状態、確変状態共に）６６．６％である。大当りが発生すると１５ラウンド（Ｒ）分だけ大入賞口１６を開放する。尚、１Ｒの上限入賞数は１０個、上限開放時間は３０秒であり、上限入賞数または上限開放時間のいずれかが満たされた場合に１Ｒを終了する。
【００１８】
確変中は大当り確率が１／３１に向上すると共に、第２始動口１４への入賞率が高くなる時短状態（時短）になる。尚、確変は次回大当りまで継続する為、大当り後に大当りでも確変でもない状態である通常遊技状態（通常状態）となる大当り（通常大当り）が発生するまで継続し、その後は所定数（例えば１００回）の図柄変動を行うまで時短状態となり、その後、通常状態に戻る。
【００１９】
第２始動口１４は普図入賞口１５への入賞に応じて変動する普通図柄（普図）が当りとなった場合に入賞率の高い開放状態となる。この場合、普図１回の変動時間は通常状態では３０秒であり時短状態では３秒となる。また、開放時間は通常状態では０．３秒であり時短状態では５秒となる。即ち、時短状態では通常状態と比較して普図変動時間が短くなる一方、開放時間は長くなることで第２始動口１４の入賞率が高くなる。
【００２０】
遊技機側からは遊技の進行に伴って次の信号が出力される。
アウト信号＝消費玉を回収するアウトＢＯＸから出力される消費価値（アウト）を特定可能な信号（稼動信号）。消費（使用、打込、回収）玉１０玉に対して１パルスが出力されるので、「アウト信号数×１０」をアウトとして特定。尚、遊技機１から出力される信号でも良い。
セーフ信号＝遊技機１から出力される入賞付与価値（セーフ）を特定可能な信号。払出１０玉に対して１パルスが出力されるので、「セーフ信号数×１０」をセーフとして特定する。尚、補給装置から出力される補給信号をセーフ信号としても良い。
始動信号＝遊技機１から出力される始動入賞により変動（作動）する液晶表示部１２（役物）におけるスタート（図柄変動、役物作動、単位遊技）を特定可能な信号。図柄変動確定時に出力されるので信号入力に応じて図柄変動を特定し、「スタート信号数×１」をスタート回数として特定する。尚、始動口に入賞したことを示す信号としても良い。
大当り信号＝遊技機１から出力される大当り期間を特定可能な信号。大当り中にレベル出力される状態信号なので大当り信号入力中を大当り中として特定する。
特別状態信号＝遊技機１から出力される特別状態（甘中）を特定可能な信号。第２始動口１４の入賞率が向上する特別状態中（時短中）にレベル出力される状態信号なので、特別状態信号入力中を特別状態中として特定する。尚、大当り確率が向上する確変中にレベル出力される状態信号（確変信号）であっても良い。また、大当り信号と特別状態信号のいずれも入力していない期間を通常状態として特定する。
売上信号＝貸出装置２から出力される売上情報（売上玉数、売上額）を特定可能な信号。遊技者に対する有価価値を対価とした売上玉２５玉毎に１パルスが出力されるので、「売上信号数×２５」を売上玉数として特定し、売上玉数×貸単価を売上額として特定。
【００２１】
貸出装置２は、紙幣（貨幣、遊技有価価値）が投入される紙幣投入口１７、遊技者からの操作入力を受付けると共に遊技の進行に伴って図柄変動回数（スタート回数）や大当たり確率等の遊技データを表示するタッチパネル式の液晶表示部１８、貯玉を払出すための払出釦１９、払出された玉が通過する払出ノズル２０、一般カード或いは会員カードが挿入されるカード挿入口２１等を備えている。
【００２２】
貸出装置２は貨幣受付時には貸出単位（１２５玉）分の貸出処理を行い、その残りを残高として記憶し、その後は残高がある限り、遊技機１に設けられた図示しない貸出釦の押下に応じて残高の内、貸出単位分を１回の操作の上限として玉を貸出す貸出処理を行う。即ち、貸出装置２は、貨幣を受付すると、遊技機１と貸出装置２の双方に入金額や貸出可能な貸出単位数等の貸出に関する貸出情報を表示すると共に貸出１単位（例えば５００円）分の貸出玉（対価付与価値）を遊技機１から払出す貸出処理を実行し、その貸出処理に応じて入金額の表示を貸出玉の対価を除いた残高を表示する。尚、貨幣は複数回分の貸出処理の対応分を受付可能である（例えば１万円まで）。そして、残高がある状態で遊技機１の貸出釦が押下られると貸出１単位分の貸出玉を払出し、その対価分を残高から引落す。
残高または持玉が残存する状態で遊技機１の返却釦を押下（発行操作を受付）すると、貸出装置２は、残高、持玉を特定可能な一般カードを発行する。発行された一般カードは他の遊技機１にて受付可能であると共に、持玉をＰＯＳ、残高を残高精算機にて精算可能である。
【００２３】
管理装置５は、ＣＰＵ、ＲＯＭ、ＲＡＭ、ＨＤＤを有するマイクロコンピュータにより構成される制御部（遊技情報処理手段、信号対応付手段、グループ化手段、比較手段、端末変更手段に相当）、遊技機１や貸出装置２から入力した各種信号により特定され、中継装置３から出力される各種情報の入力や、中継装置３へと各種情報の出力を行うＩ／Ｏ（入力手段に相当）等を備え、入力した遊技情報に応じて周知の遊技情報の管理や、所謂呼出処理等の対応する遊技処理を行う。
【００２４】
図２は中継装置３に設けられた集中入力端子の模式図である。図１に示すように中継装置３は２台の遊技機１に対応して設けられるため、２台の遊技機１に対応して２個の集中入力端子２２が設けられており、その集中入力端子２２に入力端子ユニット２３（情報入力部に相当）からの入力線２４を接続することで入力端子ユニット２３と接合される。
入力端子ユニット２３は略多角柱状（本実施形態では三角柱状）に形成されており、各側面に複数の入力端子（入力部に相当）が設けられている。具体的には、多角形状の複数の側面をＡ側面（入力Ａ）、Ｂ側面（入力Ｂ）……とし（本実施形態ではＡ〜Ｃ側面（入力Ａ〜Ｃ））、Ａ側面には入力端子Ａ＊（＊は数値）、Ｂ側面には入力端子Ｂ＊というように遊技信号に対応した入力端子が設けられている。従って、遊技信号が出力される遊技信号線を各入力端子に接続し、その入力を各入力端子、入力線２４を介して中継装置３にて検知し、遊技情報を特定する。尚、入力端子ユニット２３は一の集中入力端子２２に複数設けても良い。また、入力端子ユニット２３の他に図示しない出力端子ユニット等も同様に設けられていると共に、遊技信号により特定される遊技情報を管理装置５へと出力するための出力端子（情報出力部）等も設けられているが、説明の簡略化のために省略している。
【００２５】
図３は前提となる機種と台番号とを対応付ける台機種設定画面例を示している。台機種設定には、登録釦２５を含む各種釦、台番入力部２６、設定釦２７、設定状況表示部２８が表示されている。設定状況表示部２８には現在の設定状況が表示されている。新台導入や配置替えにより機種と台番号との対応付けを更新したい場合には、台番入力部２６に更新内容を入力した上で設定釦２７を押下するとその設定内容にて設定状況表示部２８が更新される。
【００２６】
台番入力部２６には、「台番範囲」、「営業」、「種別」、「機種」を入力可能である。「台番範囲」は、直接対象となる台番（指定端末に相当）の開始番号と終了番号（複数台の場合）とを入力する「台番」と、開始番号と対象台数とを入力する「台数」とを範囲選択釦２９により選択可能であり、いずれかを選択したした上で数値を入力する（指定操作に相当）。図３は「台番」を選択した場合を示している。「台数」を選択した場合には「台番範囲」の終了番号の箇所の表示が台数と表示されて台数を入力可能となり、台数を入力した場合には対応する終了番号を管理装置５が特定して反映させる。
【００２７】
「営業」では「営業」と「非営業」を下矢印釦３０により選択可能であり、営業対象となり遊技情報を集計対象としたい場合には「営業」、故障台や試験台等、営業対象とならず遊技情報を集計対象としない場合は「非営業」を選択する。
「種別」はパチンコやパチスロ、或いは交換単価（図３中に示す「２コイン」）等により区別される遊技機１の種類である。「種別」の下矢印釦３０により所望の種別を選択した上で「機種」の下矢印釦３０を押下すると、その種別に属する別途登録された機種名の一覧が表示されるので、設定対象の機種名を選択することで入力する。
【００２８】
設定釦２７を押下した場合、設定状況表示部２８の表示は台番入力部２６に入力された情報が優先されて更新される。即ち、例えば図３のＮＯ．１で示されるように１〜１０番台に「コインＡ」が設定された状態で３〜７番台に「コインＫ」を設定した場合、設定状況表示部２８では１〜２番台と８〜１０番台が「コインＡ」、３〜７番台が「コインＫ」と設定される。
尚、台番入力部２６を介さず設定状況表示部２８に直接入力することも可能であり、全てを設定し、設定状況表示部２８の表示が適当な設定状況となった場合に登録釦２５を押下すると当該設定情報が更新される。
【００２９】
図４は中継装置３に設けられる入力端子をいずれの遊技信号に対応付けるかを、設定操作（対応付設定操作に相当）を受付けることにより設定（対応付設定に相当）するための端子設定画面例を示している。端子設定画面では、入力した台番範囲（入力台番範囲、指定端末に相当）に対応付けていずれの入力端子をいずれの遊技信号に対応付けるかを設定可能とする。端子設定画面には、台番入力部３１、入力Ａ入力部３２、入力Ｂ入力部３３、入力Ｃ入力部３４、電圧出力入力部３５、設定出力入力部３６、設定釦２７、設定状況表示部２８が表示されている。
【００３０】
設定状況表示部２８には現在の対応付状況が表示されており、以下の条件により台番範囲を区分している。即ち、第１の条件として連続する台番が図３にて異なる機種に対応付けられていること、第２の条件として連続する台番にて入力端子の対応付設定が異なることの２つの条件の内、一方の条件でも満たせば台番範囲が区分される（グループ化処理に相当）。尚、上記条件の代わりに後述するように設定釦２７を押下することにより台番範囲に対する対応付設定を行った場合に、機種や対応付状況に関わらず区分しても良い。以下、この設定状況表示部２８にて区分された台番範囲を現区分範囲（端末グループ）として説明する。
【００３１】
現区分範囲の対応付けを変更したい場合には台番入力部３１に変更対象となる台番範囲である入力台番範囲を入力する。
ここで、台番入力部３１には設定画面を開いた際に最若番（例えば１番台）の現状の対応付けを示す設定情報（以下、対応付設定情報）がデフォルト表示として表示され、台番入力部３１に台番範囲を入力すると、当該台番範囲の先頭台の現状の対応付設定情報が各入力部３２〜３６に表示される。尚、台番入力部３１に台番を直接入力しなくとも設定状況表示部２８における任意の箇所を選択すれば、対応する台番範囲が台番入力部３１に表示されると共に対応する対応付設定情報が各入力部３２〜３６に表示される。
【００３２】
この状態で、対応付けの変更箇所等、設定情報を更新したい箇所を入力し、入力終了後に設定釦２７を押下すると、その内容にて設定状況表示部２８が仮更新され、更新したい設定情報を全て入力した上で登録釦２５を押下すると管理装置５自体の設定情報と、中継装置３等の端末の設定情報とが更新される。
尚、各入力部３２〜３６における灰色の着色領域（図４に斜線で示す）は設定変更が抑制（禁止）されている設定項目の識別表示を示し、入力により仮更新した場合には各入力部３２〜３６、設定状況表示部２８共に対応箇所が識別表示（青色）される。また、設定変更が抑制される設定項目は上位の権限を持つ他の設定者（例えば店長等）にてログインすれば更新可能となる。
【００３３】
入力端子と遊技信号との対応付けを示す情報（以下、対応付情報）は、機種または入力端子の対応付けが異なる場合に成立する条件により区分される台番範囲（現区分範囲）別に対応付けて記憶されている。
入力端子と遊技信号との対応付けを変更すべく台番入力部３１に「台番範囲」を入力すると、当該入力台番範囲の開始台番における現時点における対応付情報（以下、現対応付設定情報）が各入力部３２〜３６に表示される。各入力部３２〜３６に表示された内容に対して変更を希望する箇所を更新することで入力台番範囲別の設定を行う。
【００３４】
入力した内容は設定釦２７を押下することで一旦仮特定される。複数の台番範囲の仮特定を終えた後、登録釦２５を押下することで設定が有効化される。そして、設定釦２７の押下時に、当該現区分範囲と入力台番範囲とが相違しているか否か、例えば、入力台番範囲における開始台番（先頭台番、先頭指定端末に相当）と現区分範囲とにおける開始台番（先頭グループ端末に相当）が異なるか否かを判定（第１判定処理に相当）すると共に、入力台番範囲における終了台番（末尾台番、後尾指定端末に相当）と現区分範囲とにおける終了台番（後尾グループ端末に相当）が異なるか否かを判定（第２判定処理に相当）し、相違する場合には確認画面が表示される。
【００３５】
図５は入力台番範囲が複数の現区分範囲に跨っている場合に表示される確認画面で、複数の現区分範囲（例えば１〜１０番台、１１〜２０番台）に跨って台番範囲が指定（例えば１〜１１番台）された上で設定釦２７が押下された際に表示される確認表示例を示している。
図５では現区分範囲に設定有効範囲を留める旨のメッセージと、設定有効範囲となる台番が属する現区分範囲（１〜１０番台）のみを有効範囲として（端末変更処理に相当）設定情報が仮更新される。また、このように台番範囲を変更した場合には対応する設定状況表示部２８の表示を識別表示（例えば赤色）する。尚、この確認表示は、その表示内の確認釦３７を押下することで表示終了する。また、入力台番範囲の内、設定が有効とならない台番範囲を表示しても良い。
尚、図５を表示する入力台番範囲が複数の現区分範囲に跨っている場合には、いずれか一方の現区分範囲のみを対象として入力台番範囲の入力端子の対応付けを行えば、例えば入力台番範囲の終了台番が属する現区分範囲を対象として対応付けを行っても良い。この場合、更にいずれの現区分範囲を対象とするかの選択操作を受付けて選択的に有効化することが望ましい。
【００３６】
図６は図５の確認画面にて確認釦３７を押下した際に表示される確認画面例で、入力台番範囲の内、設定が有効化されなかった台番範囲がある旨のメッセージと、その有効化されなかった台番範囲と、入力台番範囲とが表示されると共に、その後に、その台番範囲について再度設定するか否かの選択釦３８，３９が表示される。
ここで設定する旨の選択釦３８が押下された場合は、該当台番範囲（設定が有効化されなかった終了台番が属する現区分範囲、例えば１１番台〜２０番台）を新たな入力台番範囲として特定し（再特定処理に相当）、前回設定により入力された箇所のみを残し、残りは該当台番範囲の現対応付設定情報を各入力部３２〜３６に表示する。
【００３７】
例えば現対応付設定情報として、Ｂ１端子の設定が１〜１０番台は「Ｇ不正１」、１１〜２０番台は「サービス呼出」で、Ｂ２端子の設定として「ドアオープン」を入力により更新した場合、図５までの設定更新では１〜１０番台のＢ１端子は「Ｇ不正１」、Ｂ２端子は「ドアオープン」にて仮更新され、図６にて設定する旨の選択釦３８の押下後は、Ｂ１端子が「サービス呼出」、Ｂ２端子が「ドアオープン」として現対応付設定情報が入力Ｂ入力部３３に表示されるので、その旨を確認し、設定釦２７を押下すれば１１番台の対応付設定情報が仮更新される。他の入力端子も勿論設定対象となるが説明簡略化のため省略する。
尚、設定しない旨の選択釦３９は台番範囲の入力操作が単純に誤っていた場合に押下される。また、図６の内容と図５の内容と同確認画面（図５，６を総括した１画面）にて表示しても良い。
【００３８】
図７は図６の確認画面にて設定する旨の選択釦３８または図４の確認画面にて設定釦２７が押下された場合に、現区分範囲（例えば１１〜２０番台）の一部のみが設定対象となっている場合（図７では１１番台）に表示される確認表示例である。
図７では現区分範囲において一部のみが設定更新対象となった旨と、同区分内の他の台番範囲について再度設定を行うか否かを選択する選択釦３８，３９とが表示される。
ここで設定する旨の選択釦３８を押下すると、現区分範囲の一部を対象として既に設定更新された対応付設定情報が各入力部３２〜３６に表示されるので、その内容で良ければ設定釦２７を押下するだけで、残りの台番範囲の設定が完了する。
尚、設定しない旨の選択釦３９は入力台番範囲が正しかった場合に押下される。また、更に複数の現区分範囲に跨って入力台番範囲が設定されている場合には再度、図５の確認画面が表示されることになる。
【００３９】
ここで、図７の内容と図５，６の内容とを同確認画面（図５〜７を総括した１画面）にて表示しても良いし、現区分範囲の一部のみが設定対象となっている旨を図５のような確認画面にて表示し、確認釦３７の押下により図７の確認画面を表示しても良い。
即ち、図５の表示条件は入力台番範囲と現区分範囲とが異なること、図６の表示条件は入力台番範囲が複数の現区分範囲に属すること、図７の表示条件は入力台番範囲が現区分範囲の一部であることから、これらの表示条件が成立する場合に確認画面を区分して表示しても一括して表示しても良い。
【００４０】
また、図５，６にて設定する旨の選択釦３８の操作を行った上で再度設定画面を表示することを例示したが、再度設定画面を表示することなく設定釦２７が押下された場合と同様の処理を行うべく設定釦２７を確認表示にて表示しても良い。この場合、対応付設定情報を修正する旨の釦を表示し、その押下に応じて設定画面を表示しても良い。
【００４１】
このような実施形態によれば、次のような効果を奏することが出来る。
中継装置３において入力端子と遊技信号との対応付設定を行う場合に、入力端子と遊技信号との対応付けが共通する台番範囲を予め現区分範囲としてグループ化し、この現区分範囲と入力台番範囲との比較結果に応じて入力台番範囲を現区分範囲へと制限するようにしたので、入力台番の操作を誤った場合や、全体の信号対応付設定は異なるものの一部の出力端子のみが共通するために、その共通する出力端子のみを設定更新するような誤った対応付設定操作が行われた場合であっても、誤った信号対応付設定操作が行われることを極力防止出来る。
【００４２】
入力台番範囲が複数の現区分範囲に跨る場合に、いずれか一方の現区分範囲に有効範囲を制限するようにしたので、入力台番が複数の遊技機グループに属する入力操作が行われたり、入力台番指定操作、或いは対応付設定操作が誤って操作されたりした場合であっても、誤った信号対応付操作が行われることを極力防止出来る。
【００４３】
図６の確認画面のように入力台番の内、制限による残りの台番についての設定を受付ける場合に、制限前に更新された入力端子は更新内容を維持し、それ以外の入力端子は現設定を維持した設定情報を表示するようにしたので、信号対応付設定の対象となる遊技機が制限された場合に、設定対象とならなかった遊技機が設定対象とならないことを防止出来ると共に、制限された遊技機と共通して、即ち対応付設定操作により更新されて更新対象となった入力端子については対応付設定操作による更新内容を反映し、それ以外の入力端子についてはそれまでの信号対応付設定の内容を反映した設定画面を表示することで対応付設定操作における操作入力を容易化した上で、設定者の意図する設定が可能となる。
入力台番範囲と現区分範囲とにおける開始台番を特定し、両者が異なる場合に入力台番における開始台番を現区分範囲における開始台番へと変更するようにしたので、入力台番と遊技機グループとを比較することで、当該比較を容易化出来る。
【００４４】
（その他の実施形態）
本発明は、上記実施形態に限定されることなく、次のように変形または拡張したり、各変形例を上記実施形態と組合せたりしても良い。
現区分範囲の区分条件として機種、入力端子の対応付状況、端子設定による設定を例示したが、対応付けの設定が共通するような前提があれば、例えば種別や遊技島等によりグループ化しても良い。即ち、端子設定に直接関連しない設定処理によって間接的に対応付けの設定が共通するグループ化を行っても、関連する設定処理によって直接的に対応付けが共通するグループ化を行っても良く、更に対応付けの設定が異なるからといって必ずしも異なるグループとする必要はなく、必要に応じて適当なグループ化を行えば良い。
【００４５】
グループ化の対象として対応する遊技機をグループ化することを例示したが、中継装置３自体をグループ化の対象としても良い。
複数の遊技機を指定する構成を例示したが、単数の遊技機を指定して当該遊技機が属する現区分範囲へと対象となる遊技機を拡張するような構成としても良い（請求項４に対応）。このような構成によれば、指定操作を誤入力した場合であっても、誤った信号対応付設定が行われることを極力防止出来る。
入力台番範囲を変更する場合に、対応付設定情報の設定後に変更することを例示したが、例えば台番入力部３１に台番を入力した時点で変更する等、対応付設定情報の設定前に変更しても良い。
【００４６】
入力台番範囲を現区分範囲へと変更することを例示したが、現区分範囲に対応した範囲へと変更するのであれば、開始台番のみを対応させても終了台番のみを対応させても良い。即ち、第１判定処理を実行し、先頭指定端末を先頭グループ端末とすること、及び第２判定処理を実行し、後尾指定端末を後尾先頭グループ端末とすることのいずれか一方のみを行っても良いし、いずれとも行っても良い（請求項５に対応）。
遊技機に関連した遊技情報を特定可能な遊技信号として、アウト信号や売上信号等を例示したが、例示した以外の呼出信号、ドアオープン信号、各種ボーナス信号や再プレイ信号等、遊技機に関連するのであればどのような遊技信号を対象としても良い。
【００４７】
遊技機１に対応して設けられる台端末装置として遊技機２台に対応して設けられる中継装置３を例示したが、遊技機１との対応付けは１：１としたり、４：１にする等、対応する信号入力部を有していればどのような対応関係であっても良い。
例示した条件等の設定情報は、予め設定されていれば遊技場管理者が任意に設定しても、予め管理装置の製造メーカにて設定しても、外部（例えばチェーン店本部等）の管理サーバからダウンロードして設定しても良い。
【００４８】
対象となる遊技機はパチンコ遊技機やスロットマシンであれば、遊技媒体を用いない点数による遊技を可能とする所謂封入式やクレジット式等を対象としても良く、これらを考慮し、遊技媒体と点数とを包含する遊技価値との表現を用いた。
遊技機のスペックや設定値等、例示した全ての数値、項目等は例示であり、どのような数値を採用しても良い。勿論、その他の遊技情報も、直接的、間接的を問わず適宜最適な特定方法にて特定すれば良い。また、例示した構成はどのように組合わせても良い。
管理装置５が行う情報処理の一部を中継装置３や貸出装置２にて行っても良い。また、特に示さなかったが、遊技場管理者向けの遊技情報だけでなく、貸出装置２等による遊技者向けに表示される遊技情報を対象としても良い。
【符号の説明】
【００４９】
図面中、１は遊技機、３は中継装置（台端末装置）、５は管理装置（入力手段、遊技情報処理手段、信号対応付手段、グループ化手段、比較手段、端末変更手段）、２３は入力端子ユニット（情報入力部）である。
【図１】
2015062561.tif 000003
【図２】
2015062561.tif 000004
【図３】
2015062561.tif 000005
【図４】
2015062561.tif 000006
【図５】
2015062561.tif 000007
【図６】
2015062561.tif 000008
【図７】
2015062561.tif 000009